(57)【要約】【課題】手書き入力した署名を容易に確認できるようにすること。【解決手段】取引き情報を入力可能な第１入力部と、手書き入力可能な第２入力部と、第１および第２表示部と、制御部とを備え、制御部は、第１入力部から入力される前記取引き情報を第１表示部に表示し、第２入力部から署名が手書き入力されたときに入力された署名の画像データを第２表示部の表示サイズに適合するように拡大又は縮小して第２表示部に表示することを特徴とするタブレット機器。【選択図】図２
2013246689.tif 000002
【特許請求の範囲】
【請求項１】
取引き情報を入力可能な第１入力部と、手書き入力可能な第２入力部と、第１および第２表示部と、制御部とを備え、制御部は、第１入力部から入力される前記取引き情報を第１表示部に表示し、第２入力部から署名が手書き入力されたときに入力された署名の画像データを第２表示部の表示サイズに適合するように拡大又は縮小して第２表示部に表示することを特徴とするタブレット機器。
【請求項２】
制御部は、第２表示部の表示サイズの横寸法ｘおよび縦寸法ｙと、手書き入力された署名の画像データの横寸法ａおよび縦寸法ｂとを算出し、ｘ／ａとｙ／ｂの小さい方の値を前記署名の画像データのサイズに乗じて変倍し、署名のサイズを第２表示部の表示サイズに適合させる請求項１記載のタブレット機器。
【請求項３】
取引き情報を入力可能な第１入力部と、手書き入力可能な第２入力部と、第１および第２表示部とを設け、第１入力部から入力される前記取引き情報を第１表示部に表示し、第２入力部から署名が手書き入力されたときに入力された署名の画像データを第２表示部の表示サイズに適合するように拡大又は縮小して第２表示部に表示することを特徴とするタブレット機器の制御方法。
【請求項４】
署名の画像データを第２表示部の表示サイズに適合させる工程が、第２表示部の表示サイズの横寸法ｘおよび縦寸法ｙと、手書き入力された署名の画像データの横寸法ａおよび縦寸法ｂとを算出し、ｘ／ａとｙ／ｂの小さい方の値を前記署名の画像データのサイズに乗じて変倍し、署名のサイズを第２表示部の表示サイズに適合させる工程からなる請求項３記載のタブレット機器の制御方法。
【請求項５】
取引き情報を入力可能な第１入力部と、手書き入力可能な第２入力部と、第１および第２表示部とを備えたタブレット機器において、コンピュータに、第１入力部から入力される前記取引き情報を第１表示部に表示し、第２入力部から署名が手書き入力されたときに入力された署名の画像データを第２表示部の表示サイズに適合するように拡大又は縮小して第２表示部に表示する工程を実行させるためのプログラム。
【請求項６】
署名の画像データを第２表示部の表示サイズに適合させる工程が、第２表示部の表示サイズの横寸法ｘおよび縦寸法ｙと、手書き入力された署名の画像データの横寸法ａおよび縦寸法ｂとを算出し、ｘ／ａとｙ／ｂの小さい方の値を前記署名の画像データのサイズに乗じて変倍し、署名のサイズを第２表示部の表示サイズに適合させる工程からなる請求項５記載のプログラム。
【請求項７】
請求項５又は６に記載のプログラムを記録したコンピュータ読み取り可能な記録媒体。
【発明の詳細な説明】
【技術分野】
【０００１】
この発明はタブレット機器に関し、とくに商取引き等において商品の納品内容や取引きの決裁条件などが取引相手から提示されたとき、それに対して署名などの処理を行うタブレット機器に関する。
【背景技術】
【０００２】
近年、タブレット機器が種々の分野で使用されるようになり、商取引きにおいても商品の売上げや受け渡しを行う際に、タブレット機器の表示画面に表示された内容に対して、手書き入力にて署名を行うようになってきている。
【０００３】
そして、その関連技術としては、帳票のイメージデータを表示した帳票イメージ画面の被拡大領域を選択する操作を入力部で受付け、その被拡大領域を拡大して表示する帳票イメージ表示装置において、入力部で選択された領域を拡大して表示する帳票イメージ画面内の表示位置および大きさを記憶する拡大調整情報を有する記憶部と、前記拡大調整情報から表示位置および大きさを抽出し、選択された被拡大領域を抽出した大きさに拡大し、抽出した表示位置に表示する拡大調整手段とを設け、前記拡大調整手段が、選択された被拡大領域を拡大して帳票イメージ画面内に表示するようにしたものが知られている（例えば、特許文献１参照）。
【先行技術文献】
【特許文献】
【０００４】
【特許文献１】特開２００９−２５８９７２号公報
【発明の概要】
【発明が解決しようとする課題】
【０００５】
ところで、従来のこのような装置においては、記入された署名と、一定倍率で拡大表示された署名とを１つの画面で確認するようになっているが、署名欄に記入される文字の大きさが、署名実施者によって左右されるので、それを一定倍率で拡大表示しても文字の大きさにバラツキが生じ、その確認が容易でないという問題があった。
【０００６】
この発明はこのような事情を考慮してなされたもので、署名欄に記入された署名を署名確認欄の大きさに適合するサイズに調整して表示するようにしたタブレット機器を提供するものである。
【課題を解決するための手段】
【０００７】
この発明は、取引き情報を入力可能な第１入力部と、手書き入力可能な第２入力部と、第１および第２表示部と、制御部とを備え、制御部は、第１入力部から入力される前記取引き情報を第１表示部に表示し、第２入力部から署名が手書き入力されたときに入力された署名の画像データを第２表示部の表示サイズに適合するように拡大又は縮小して第２表示部に表示することを特徴とするタブレット機器を提供するものである。
【発明の効果】
【０００８】
この発明によれば、手書き入力された署名の画像データが第２表示部の表示サイズに適合するように拡大又は縮小されて表示されるので署名される文字の大きさにバラツキがあっても、署名の確認が容易になる。
【図面の簡単な説明】
【０００９】
【図１】この発明のタブレット機器の制御回路を示すブロック図である。
【図２】図１に示すタブレット機器の表示画面を示す説明図である。
【図３】図１に示す制御回路の動作を示すフローチャートである。
【図４】図１に示す制御回路の要部の動作を説明する説明図である。
【発明を実施するための形態】
【００１０】
この発明のタブレット機器は、取引き情報を入力可能な第１入力部と、手書き入力可能な第２入力部と、第１および第２表示部と、制御部とを備え、制御部は、第１入力部から入力される前記取引き情報を第１表示部に表示し、第２入力部から署名が手書き入力されたときに入力された署名の画像データを第２表示部の表示サイズに適合するように拡大又は縮小して第２表示部に表示することを特徴とする。
【００１１】
ここで、第１入力部は、情報を有線、又は無線通信で外部と授受する通信部（通信装置）や、情報を手動で入力するキーボード又はタッチパネルなどを含む。また、手書き入力可能な第２入力部には、タッチパネルが好適に利用できる。また、第１および第２表示部には、液晶表示パネルのような表示装置を用いることができる。制御部は、ＣＰＵ，ＲＯＭ，ＲＡＭからなるマイクロコンピュータで構成できる。
【００１２】
制御部は、第２表示部の表示サイズの横寸法ｘおよび縦寸法ｙと、手書き入力された署名の画像データの横寸法ａおよび縦寸法ｂとを算出し、ｘ／ａとｙ／ｂの小さい方の値を前記署名の画像データのサイズに乗じて変倍し、署名のサイズを第２表示部の表示サイズに適合させてもよい。
【００１３】
この発明は別の観点から、取引き情報を入力可能な第１入力部と、手書き入力可能な第２入力部と、第１および第２表示部とを設け、第１入力部から入力される前記取引き情報を第１表示部に表示し、第２入力部から署名が手書き入力されたときに入力された署名の画像データを第２表示部の表示サイズに適合するように拡大又は縮小して第２表示部に表示することを特徴とするタブレット機器の制御方法を提供するものである。
【００１４】
署名の画像データを第２表示部の表示サイズに適合させる工程が、第２表示部の表示サイズの横寸法ｘおよび縦寸法ｙと、手書き入力された署名の画像データの横寸法ａおよび縦寸法ｂとを算出し、ｘ／ａとｙ／ｂの小さい方の値を前記署名の画像データのサイズに乗じて変倍し、署名のサイズを第２表示部の表示サイズに適合させる工程であってもよい。
【００１５】
また、別の観点からこの発明は、取引き情報を入力可能な第１入力部と、手書き入力可能な第２入力部と、第１および第２表示部とを備えたタブレット機器において、コンピュータに、第１入力部から入力される前記取引き情報を第１表示部に表示し、第２入力部から署名が手書き入力されたときに入力された署名の画像データを第２表示部の表示サイズに適合するように拡大又は縮小して第２表示部に表示する工程を実行させるためのプログラムを提供するものである。
【００１６】
上記プログラムにおける署名の画像データを第２表示部の表示サイズに適合させる工程が、第２表示部の表示サイズの横寸法ｘおよび縦寸法ｙと、手書き入力された署名の画像データの横寸法ａおよび縦寸法ｂとを算出し、ｘ／ａとｙ／ｂの小さい方の値を前記署名の画像データのサイズに乗じて変倍し、署名のサイズを第２表示部の表示サイズに適合させる工程であってもよい。
【００１７】
また、この発明は、上記プログラムを記録したコンピュータ読み取り可能な記録媒体を提供するものである。
【００１８】
以下、図面に示す実施形態を用いてこの発明を詳述する。
図１はこの発明のタブレット機器の制御回路を示すブロック図である。
同図において、この制御回路は、ＣＰＵ７を有する制御部１、表示装置（液晶表示パネル）８、表示装置の液晶表示パネル８に重ねて設置された入力装置（タッチパネル）５、タブレット機器の動作プログラムなどを格納する主記憶装置（ＲＯＭ）９、外部のサーバーやプリンタとデータを授受する通信部１１、通信部１１や入力装置５から入力されたデータを格納する２次記憶装置（ＲＡＭ）１０を備える。
【００１９】
なお、制御部１は、ＣＰＵ７と主記憶装置（ＲＯＭ）９と２次記憶装置（ＲＡＭ）１０によりコンピュータを構成し、主記憶装置９から読み取った動作プログラムに基づいて表示装置８、入力装置５、通信部１１、および２次記憶装置１０を制御するようになっている。表示装置としての液晶表示パネル８と、その上に重ねられた入力装置としてのタッチパネル５は、図２に示すような表示画面を形成する。
【００２０】
つまり、図２の表示画面は、決裁／納品情報表示欄１２とサイン記入（署名）欄１３とサイン（署名）確認欄１４と、確認ＯＫボタン１６と、再入力ボタン１７を有する。
ここで、図１において、通信部１１は、署名を要する取引情報を入力することが可能な入力部を構成する。図２において、情報表示欄１２は、入力された取引き情報を表示するための表示部を、サイン記入（署名）欄１３は手書き可能な入力部を、サイン（署名）確認欄１４は、手書き入力された情報（署名）を表示するための表示部をそれぞれ構成する。
【００２１】
このような構成における動作を、図２に示す表示画面と図３に示すフローチャートを用いて説明する。図３において、外部のサーバー等から通信部１１を介して取引相手からの決裁／納品情報が受信されると、受信した決裁／納品情報が図２に示すように表示画面の決裁／納品情報表示欄１２に表示される（ステップＳ１）。
【００２２】
次に、表示画面はサイン記入（署名）欄１３とサイン（署名）確認欄１４を表示する（ステップＳ２，Ｓ３）。
そこで、決裁／納品情報の受信者は、その表示内容に誤りがないことを確認した上で、サイン記入欄１３へサイン（署名）をタッチペンを用いて記入（手入力）する（ステップＳ４）。
【００２３】
ＣＰＵ７（図１）は、サイン確認欄１４のサイズと手入力されたサイン画像のサイズとを算出し（ステップＳ５）、サイン確認欄１４のサイズとサイン画像のサイズから変倍率（拡大又は縮小倍率）αを算出する（ステップＳ６）。
【００２４】
そして、サイン画像にαを乗じて変倍した画像データをサイン確認欄１４に表示する（ステップＳ７）。サイン記入欄１３に署名した署名者は、サイン確認欄１４に表示されたサインの画像を確認し、それを承認する場合には、図２に示す表示画面に表示されたＯＫボタン１６を押す（ステップＳ８）。
【００２５】
それによって、図２の表示画面に表示された表示データは２次記憶装置１０に格納されると共に、通信部１１を介してサーバー等へ返送される（ステップＳ９，Ｓ１０）。そして、図２の表示画面の表示が消去される（ステップＳ１１）。
【００２６】
なお、ステップＳ８において、サイン確認欄１４に表示されたサインの画像を承認しない場合には、図２に示す表示画面に表示された再入力ボタン１７を押すと、それによってサイン記入欄１３とサイン確認欄１４のサイン画像は消去され（ステップＳ１２）、ルーチンはステップＳ４へ戻る。
【００２７】
このようにして、商取引における決裁や納品処理をこの発明のタブレット機器を用いて容易に行うことができる。
【００２８】
ここで、ステップＳ６において、サイン確認欄のサイズとサイン画像のサイズから変倍率αを算出する方法を、図４を用いて以下に説明する。
【００２９】
図４（ａ）は、図２のサイン確認欄１４を示し、そのサイズは横寸法ｘと縦寸法ｙで表され、この実施形態ではｘ＝５０、ｙ＝１８と設定されている。
図４（ｂ）、（ｃ）は図２のサイン記入欄１３に手書き入力されたサイン画像の２つの例を示し、そのサイズはそれぞれ横寸法ａと縦寸法ｂで表される。
【００３０】
そこで、ｘ／ａとｙ／ｂとが算出され、その値の小さい方がαとして決定される。つまり、図４（ｂ）の場合、サイン画像のサイズはａ＝２５、ｂ＝８として算出され、
ｘ／ａ＝５０／２５＝２.０、ｙ／ｂ＝１８／８＝２.２５
となり、α＝２.０と決定される。
【００３１】
また、図４（ｃ）の場合、サイン画像のサイズはａ＝５０、ｂ＝２０として算出され、
ｘ／ａ＝５０／５０＝１.０
ｙ／ｂ＝１８／２０＝０.９
となり、α＝０.９と決定される。
【００３２】
従って、図４（ｂ）のサイン画像は２５（横）×８（縦）のサイズがそれぞれ2.0倍され、５０×１６のサイズに拡大されてサイン確認欄（５０×１８）に表示される。
また、図４（ｃ）のサイン画像は５０×２０のサイズがそれぞれ0.9倍され、４５×１８のサイズに縮小されてサイン確認欄（５０×１８）に表示される。
【００３３】
このように変倍率αを乗じて変倍されたサイン画像は、縦又は横サイズの大きい方の一方が確認欄にぴったりと一致すると共に、他の一方がサイン確認欄から突き出ることがないので、図２に示すようにサイン確認欄１４の大きさに丁度適合するサイズとなり、その確認を容易に行うことができる。
【符号の説明】
【００３４】
１  制御部
５  入力装置（タッチパネル）
７  ＣＰＵ
８  表示装置（液晶表示パネル）
９  主記憶装置（ＲＯＭ）
１０  ２次記憶装置（ＲＡＭ）
１１  通信部
１２  決裁／納品情報表示欄
１３  サイン記入（署名）欄
１４  サイン（署名）確認欄
１６  確認ＯＫボタン
１７  再入力ボタン
【図１】
2013246689.tif 000003
【図２】
2013246689.tif 000004
【図３】
2013246689.tif 000005
【図４】
2013246689.tif 000006